(57)【要約】【課題】構造を簡単にでき、しかも上昇位置での安定性を確保することができる昇降装置付き照明器具を提供する。【解決手段】灯具２が円錐状の外形をなし上端部２ｂが１本のワイヤ８に吊持されている。昇降ユニット３はワイヤ８を巻き取り巻き戻して灯具２を昇降する。器具本体１は、灯具２の上昇位置で灯具２を収納する収納部１ａを有するとともに灯具２の上端部２ｂを所定位置にガイドするガイド部１ｂを収納部１ａの上部に有する。灯具２の上端部２ｂの上面中心からの距離が異なる一対の受電部７を突設し、灯具２の上昇により一対の受電部７が接触可能となるように溝状の給電部１３をガイド部１ｂに設けている。【選択図】        図１
2006302685.tif 000002
【特許請求の範囲】
【請求項１】
上端側が次第に細くなる傾斜のある外形をなし上端部が１本の索条に吊持された灯具と、前記索条を巻き取り巻き戻して前記灯具を昇降する昇降ユニットと、前記灯具の上昇位置で前記灯具を収納する収納部を有するとともに前記灯具の前記上端部を所定位置にガイドするガイド部を前記収納部の上部に有する器具本体とを備えた昇降装置付き照明器具。
【請求項２】
前記灯具の前記上端部の上面中心からの距離が異なる一対の受電部を突設し、前記灯具の上昇により前記一対の受電部が接触可能となるように前記上面中心を通る鉛直線からの距離が異なる溝状の給電部を前記ガイド部に有する請求項１記載の昇降装置付き照明器具。
【請求項３】
前記受電部は前記給電部に向けて付勢されたピンを有し、前記灯具の上昇により前記ピンが前記給電部に接触する請求項２記載の昇降装置付き照明器具。
【発明の詳細な説明】
【技術分野】
【０００１】
この発明は、昇降装置付き照明器具に関するものである。
【背景技術】
【０００２】
従来例（例えば特許文献１参照）は、図５に示すように灯具１００を２本のワイヤ１０１、１０２で吊持し、天井に取付けられた器具本体の基板１０６に取付けられたドラム１０３、１０４に巻き取り巻き戻している。ドラム１０３、１０４は正逆回転モータ１１０で駆動している。基板１０６より下方に上昇位置の灯具１００の上部をガイドするガイド部１０７を設けている。
【０００３】
一方、灯具１００の上面に可動接点１０８を設け、可動接点１０８が接触する固定接点１０９を基板１０６に設け、灯具１００の上昇位置で可動接点１０８を固定接点１０９に対して接触した状態に位置決め手段により灯具１００を位置決めしている。  
【特許文献１】特開平１−２５３１０９号公報
【発明の開示】
【発明が解決しようとする課題】
【０００４】
しかし、この従来例は、２本のワイヤ１０１、１０２で灯具１００を吊持するため構造が複雑になった。また灯具１００の上昇位置で可動接点１０８と固定接点１０９とを接触させておくため、別に位置決め手段が必要であった。
【０００５】
したがって、この発明の目的は、構造を簡単にでき、しかも上昇位置での安定性を確保することができる昇降装置付き照明器具を提供することである。
【課題を解決するための手段】
【０００６】
この発明の昇降装置付き照明器具は、灯具が上端側が次第に細くなる傾斜のある外形をなし上端部が１本の索条に吊持されている。昇降ユニットは前記索条を巻き取り巻き戻して前記灯具を昇降する。器具本体は、前記灯具の上昇位置で前記灯具を収納する収納部を有するとともに前記灯具の前記上端部を所定位置にガイドするガイド部を前記収納部の上部に有する。
【０００７】
上記構成において、前記灯具の前記上端部の上面中心からの距離が異なる一対の受電部を突設し、前記灯具の上昇により前記一対の受電部が接触可能となるように前記上面中心を通る鉛直線からの距離が異なる溝状の給電部を前記ガイド部に有する。
【０００８】
上記構成において、前記受電部は前記給電部に向けて付勢されたピンを有し、前記灯具の上昇により前記ピンが前記給電部に接触する。
【発明の効果】
【０００９】
この発明の昇降装置付き照明器具によれば、１本の索条で灯具を昇降させるため、構成が簡単になる。しかも灯具の上昇位置で灯具が収納部に収納されるため、灯具が上昇位置での揺れを押さえることができ安定性を確保できる。さらに灯具が上端側が次第に細くなる傾斜のある外形をなすため、１本の索条で灯具を上昇させて収納部に収納させる際に、灯具が多少揺れてもスムースに収納することができる。
【００１０】
受電部と給電部を１本の索条の引張力で位置決めでき、しかも給電部は溝状であるため灯具が多少回転しても受電部と給電分の接触に支障がない。
【００１１】
ピンに圧力が加わるとばねに抗して上下に可動となるため、受電部と給電部とを確実に接触できる。
【発明を実施するための最良の形態】
【００１２】
この発明の一実施の形態を図１から図４により説明する。すなわち、この埋め込み型昇降装置付き照明器具は、灯具２を昇降ユニット３から繰り出す索条例えばワイヤ８で昇降自在に吊持し、灯具２の上昇位置で器具本体１に灯具２を収納している。
【００１３】
灯具２は、上端側が細径で下端側が太径となるように２段の円錐形状または円錐台形状に形成した収納部５で反射板を兼ねた外形を形成し、下端開口縁に灯具２の上昇位置で器具本体１に係止する外つば２ａを形成している。灯具２の上端部に設けた接続部２ｂの下側にランプソケット６を配置し、ランプソケット６に一般の例えばダウンライト用蛍光灯を用いた光源４を装着している。灯具２の接続部２ｂの上面には中心位置に嵌合突部５５を突設し、周縁部にリング状突部５６を突設し、その間にランプソケット６に接続された受電接点７が設けられ、嵌合突部５５に１本のワイヤ８の先端を取付けている。
【００１４】
受電接点７は、図２に示すように灯具２の接続部２ｂに上下動作自在に設けられた一対のピン４５と、ピン４５を突出方向すなわち上方向に付勢するばね４６と、ねじ４９により灯具２の接続部２ｂに取付けられてばね４６を支持する取付部材４７と、取付部材４７に接続されるリード線接続部４８とで構成され、リード線接続部４８がランプソケット６と接続されている。一対のピン４５はワイヤ８が連結される中心位置の両側で中心からの距離が異なる位置に配置されている。ピン４５とリード線接続部４８は、いずれも導電性であるばね４６および取付部材４７を介して電気的に接続されている。  
【００１５】
器具本体１は灯具２を昇降方向に出し入れ可能な収納部１ａを形成する筒形であり、収納部１ａの開口縁に天井１１の埋め込み穴９の縁部に係止するつば１０を形成し、側部に天井１１の裏面に係止する取付具１２を設けている。また器具本体１の天部に灯具２の上端部の接続部２ｂを所定位置にガイドするガイド部１ｂをねじ５９で取付けている。ガイド部１ｂは略筒状であり、中間仕切り部５０の中心にワイヤ８を挿通し嵌合突部５５が嵌合する穴５１を形成し、リング状突部５６が嵌合するリング状凹部５７を形成し、その間で中間仕切り部５０の下面に、受電接点７が接触する給電接点１３を設けている。
【００１６】
給電接点１３は中心に対して同心円形の溝１３ａ、１３ｂにより形成され、その内底面または内底面と両内側面にピン４５が接触する導電接触部を設けている。そして中心に近いピン４５が径の小さい溝１３ａに入り込み、中心から遠いピン４５が径の大きい溝１３ｂに入り込むように設定されている。
【００１７】
また中間仕切り部５０の上側にワイヤ８を掛けるガイド例えば滑車１４を配設し、灯具２を吊持したワイヤ８は滑車１４を経て器具本体１の側部に例えば切欠きにより形成したワイヤ挿通部４１より外部に引き出されている。さらに滑車１４の近傍に灯具２の上昇位置検知スイッチ１５を設けている。器具本体１を埋め込み穴９に挿入しつば１０を埋め込み穴９の縁部に係止した状態で取付具１２を天井１１の裏面上に係止し、これにより器具本体１を天井１１に固定している。
【００１８】
器具本体１の天部に連結板１７の一端が例えばねじなどの連結具１６で取付けられ他端が器具本体１の側方に延長し、連結板１７の他端側に昇降ユニット３が取付けられ、これによって昇降ユニット３は全体として器具本体１の側部に配置されている。  
【００１９】
昇降ユニット３はカバー１８内において、ドラム１９を器具本体１から遠い位置に配置し、駆動手段例えばモータ（図示せず）を器具本体１に近い位置に配置している。ドラム１９は灯具２を昇降可能に吊持するワイヤ８を滑車１４を介して巻き取り巻き戻しする。この場合、昇降ユニット３内において滑車１４とドラム１９との間にガイドとしてさらに滑車２１、２２を配置している。滑車２１は昇降ユニット３の略中央位置に配置し、滑車２２は器具本体１に近い位置に配置し、ワイヤ８を灯具２から順次滑車１４、２１、２２を経てドラム１９に巻き取らせている。滑車２２はドラム１９がワイヤ８を繰り出しまたは巻き取る際のワイヤ８の支点となっている。さらに滑車２２とドラム１９の間にテンションガイド２３を配置し、ワイヤ８を摺動自在に支持するとともにドラム１９に巻き取られるワイヤ８をドラムに押さえ付ける方向にばね２４で付勢している。
【００２０】
モータは直流モータを使用し、操作部（図示せず）からの制御により給電を受けて正転または逆転することによりドラム１９を正逆回転するものであり、モータとドラム１９の間は減速機構として減速ギヤを介して連結している。モータを操作するための操作部は壁などの操作可能な位置に設けられている。
【００２１】
操作部の操作によりモータが正転すると、ドラム１９は減速ギヤを介してたとえば繰り出し方向に回転し、ワイヤ８が繰り出されて灯具２が下降する。灯具２の下降位置では検知スイッチや停止スイッチにより給電を停止させる。これによりランプ交換等が可能である。一方操作部の操作によりモータが逆転すると反対に灯具２が上昇する。灯具２の上昇により灯具２が器具本体１の収納部１ａ内に収納され、外つば２ａがつば１０または天井１１に係止する。同時に接続部２ｂが器具本体１のガイド部１ｂにガイドされ、嵌合突部５５が穴５１に嵌合しリング状突部５６がリング状凹部５７に嵌合して所定位置に案内されて、嵌合突部５５の上部で上昇位置検知スイッチ１５を押し、モータが停止する。さらに受電接点７のピン４５が給電接点１３に接触し、光源４は点灯可能となる。このとき給電接点１３に押されてピン４５がばね４６に抗して後退動作し灯具２の停止位置での接触状態を保つ。
【００２２】
この実施の形態によれば、１本のワイヤ８で灯具２を昇降させるため、構成が簡単になる。しかも灯具２の上昇位置で収納部１ａに収納されるため、灯具２が上昇位置での揺れを押さえることができ安定性を確保できる。さらに灯具２が円錐形など上端ほど細くなる傾斜を有するため１本のワイヤ８で灯具２を上昇させて収納部１ｂに収納させる際に灯具２が多少揺れてもスムースに収納することができる。
【００２３】
受電接点７と給電接点１３を１本のワイヤ８の引っ張り力で位置決めでき、位置決め手段を別途設ける必要がない。また灯具が回転してもピン４５をもつ受電部７は円形溝状の給電部１３に接触できる。
【００２４】
受電接点７のピン４５が給電接点１３に押されて後退可能であるため灯具２の停止位置が多少ずれても確実な接触が可能となる。
【００２５】
なお、溝１３ａ、１３ｂは同心円形に限らず同心円弧状でもよい。
【図面の簡単な説明】
【００２６】
【図１】この発明の一実施の形態の照明器具の灯具の上昇位置の状態を示す断面図である。
【図２】その受電接点と給電接点の部位を示す拡大図である。
【図３】灯具の上昇位置から少し下降した状態の断面図である。
【図４】その受電接点と給電接点を示す斜視図である。
【図５】従来例の断面図である。
【符号の説明】
【００２７】
１    器具本体
１ａ    収納部
１ｂ    ガイド部
２    灯具
３    昇降ユニット
７    受電部
８    ワイヤ  
１３    給電部
４５    ピン
４６    ばね
【図１】
2006302685.tif 000003
【図２】
2006302685.tif 000004
【図３】
2006302685.tif 000005
【図４】
2006302685.tif 000006
【図５】
2006302685.tif 000007